(57)【要約】【課題】従来の屋根に取付けた融雪装置は、発熱線に電気を通して発熱し、それにより融雪するもの、又は温水を通す導管を屋根に取付けて、これに温水を通すことにより融雪するもの、等があるが、これらは、温度が低く十分な融雪が出来ない。このため屋根への加重を大きくする危険や、つららや雪崩が起こる危険がある。【解決手段】屋根１に取付けた導管４に、約３００℃の高温水蒸気（又は高温空気）を通し屋根の積雪を融雪する。この導管４に導管カバ−５を取付け、融雪のための熱の伝導範囲を広める。かつ、この導管カバ−５は約３００℃程度の高温で赤外線を発生する材質のものを用い、この輻射熱によって融雪の範囲を広める。なお、この導管カバ−５の外側には火傷防止用断熱材８を貼り、導管カバ−５の上面に人が触れても火傷しないようにする。【選択図】図１
2006291583.tif 000002
【特許請求の範囲】
【請求項１】
屋根に取付けた導管に高温の水蒸気（又は高温の空気）を通し、屋根の積雪を融雪する（この高温の水蒸気又は高温の空気は、高効率の固体酸化物形燃料電池（ＳＯＦＣ）の排気ガスより熱交換により、水蒸気又は空気を約３００℃の高温にしたもの）。この融雪用の導管に導管カバ−を取付け、融雪のための熱の伝導範囲を広める。かつ、この導管カバ−は約３００℃程度の高温で赤外線を発生する材質のものを用い、この輻射熱によって融雪の範囲を広める。なお、この導管カバ−の上面には断熱材を貼り、導管カバ−の外側に人が触れても火傷しないようにすることを特徴とする導管カバ−付屋根融雪装置
【発明の詳細な説明】
【技術分野】
【０００１】
本発明は、屋根の積雪を融雪するため高温の水蒸気（又は高温の空気）を通した導管に導管カバ−を取付け、融雪の範囲を広め、かつ、人が触れて火傷しないようにした、導管カバ−付屋根融雪装置に関するものである。
【背景技術】
【０００２】
従来の屋根の雪を融かす融雪装置には、屋根板の下に温水を通す導管などを施設する方式、屋根の上に温水を通す導管などを取付けて、これに温水を通すことにより融雪する方式、などがあるが、温水の温度が低いために融雪不充分となっている。
特許文献１（特開２００３−８２８８２号公報）では、熱媒体液を通す放熱パイプにフインを取付けて熱の伝導範囲を広めようとしている、しかし、低い温度で熱伝導のみによる融雪の範囲を広めようとしても十分な融雪は得られない。
また、特許文献２（特開２００２−２９４９４３号公報）では、屋根の雪止め金具と組み合わせた温水循環パイプをパイプカバ−で覆うなど積雪の荷重などに対し強くしている、なお、このパイプカバ−には遠赤外線輻射性塗料を塗着し、遠赤外線効果によりパイプカバ−の表面温度を上げようとしているが、その測定結果によればパイプカバ−の表面温度を約３９℃に保つことができた、と記載されている。この場合も温度が低いため、融雪不充分となる。また、温水循環パイプが積雪の荷重による損傷するのを防止することに力を入れているが、これは、融雪不充分により雪が融けないで残っているために発生する問題である。
【０００３】
この改善策として、屋根に取付けた融雪用の導管に約３００℃の高温の水蒸気（又は高温の空気）を通し、更にこの導管に導管カバ−を取付け、融雪のための熱の伝導範囲を広め、かつ、この導管カバ−は約３００℃程度の高温で赤外線を発生する材質のものを用い、この輻射熱により融雪の範囲を広めるようにした。
なお、特許出願中の関連文献（特願２００４−１０５５２０  高圧熱媒体を用いた融雪装置）で、高効率の固体酸化物形燃料電池（ＳＯＦＣ）の排気ガスから、熱交換により発生させた高温熱媒体（高温水蒸気又は高温空気）により、融雪を行なう融雪装置について出願中である。
【特許文献１】特開２００３−８２８８２号公報
【特許文献２】特開２００２−２９４９４３号公報
【発明の開示】
【発明が解決しようとする課題】
【０００４】
従来の屋根に取付けた融雪装置は、発熱線に電気を通して発熱し、それにより融雪するもの、又は温水を通す導管を屋根に取付けて、これに温水を通すことにより融雪するもの、等があるが、この従来の融雪装置には次の問題点がある。
【０００５】
屋根に取付けた融雪装置を運転して、雪が少なくなったように見える状態の多くは、水分の多い雪に変わった状態で、雪が少なくなった訳ではない。その上に更に雪が降り積もれば、屋根への加重は大きなものになり、建物の倒壊などを引き起こす危険がある。
【０００６】
屋根の上の雪が低い温度で融かされると、その水が流れ落ちる時つららとなり、それが成長して落下する危険がある。
【０００７】
屋根に雪が積もった状態で、雪の下部だけが融け滑りやすい状態になると、雪の塊を雪崩状に落下させることになり危険である。
【０００８】
本発明は、このような従来の課題を解決するもので、屋根に取付けた、約３００℃の高温水蒸気（又は高温空気）を通した導管に、導管カバ−を取付け、融雪のための熱の伝導範囲を広める。かつ、この導管カバ−は約３００℃程度の高温で赤外線を発生する材質のものを用い、この輻射熱によって融雪の範囲を広める。
このようにして、融雪不充分により屋根への加重を大きくする危険や、つららや雪崩が起こる危険の無い安全な融雪装置になる。
【課題を解決するための手段】
【０００９】
上記課題を解決するために、請求項１記載の本発明の導管カバ−付屋根融雪装置は、屋根に取付けた導管に高温の水蒸気（又は高温の空気）を通し、屋根の積雪を融雪する（この高温の水蒸気又は高温の空気は、高効率の固体酸化物形燃料電池（ＳＯＦＣ）の排気ガスより熱交換により、水蒸気又は空気を約３００℃の高温にしたもの）。この融雪用の導管に導管カバ−を取付け、融雪のための熱の伝道範囲を広める。かつ、この導管カバ−は約３００℃程度の高温で赤外線を発生する材質のものを用い、この輻射熱によって融雪の範囲を広める。なお、この導管カバ−の上面には断熱材を貼り、導管カバ−の上面に人が触れても火傷しないようにすることを特徴としている。
【発明の効果】
【００１０】
本発明の導管カバ−付屋根融雪装置は、約３００℃の高温水蒸気（又は高温空気）を通した導管に取付け、その材質は鉄板など熱伝導性が良く、高温で赤外線を発生するものを用いる。これにより、熱伝導による融雪範囲は導管カバ−により広げられ、かつ、赤外線により輻射熱を発生させ融雪の範囲を更に広める。これにより、屋根の雪を短時間で完全に融雪できる利点がある。
【発明を実施するための最良の形態】
【００１１】
本発明の導管カバ−付屋根融雪装置は、その取り付ける地域の積雪量や寒さなどに応じて、積雪量が多く、寒さも厳しく、早く屋根の雪を融雪したい場合は、例えば暖房加熱用波長選択型熱放射材料（特許第２９０９５３８号公報に開示されている、高温状態で赤外光を放射する暖房用の加熱材料）などを鉄板などの先に取付ける。積雪量や寒さがそれほど厳しくない場合は、鉄板などを用いる（鉄板も高温状態で赤外線を放出する）。以下，この様なことを考慮に入れながら実施例について、図面を参照しながら説明する。
【実施例１】
【００１２】
図１、図２は、請求項１記載の導管カバ−付屋根融雪装置の実施例である。図１は導管カバ−取付けの立面図、図２は導管カバ−取付けの平面図を示したものである。図１でトタンぶき屋根１（瓦棒ぶきのトタンぶき屋根の一例をあげた、瓦屋根などもこれに準ずる）の凸字形に出た部分の、上に断熱材２をはさんで導管４（高温の水蒸気（又は高温の空気）を通した導管）を導管取付け具３により約１ｍ間隔に取付ける、その取付け位置を図２に示した。（図１は導管４が矩形の場合を示したが、導管４が円形の場合もこれに準ずる）。この導管４の上に導管カバ−５を取付ける、導管カバ−５は図１又は図２に示すように幅約５ｃｍ長さ約６０ｃｍの鉄板などを導管カバ−取付け具６により約１５ｃｍの間隔をあけて取付ける（約１５ｃｍの間隔をあけるのは強風を受けても壊れたり、変形したりしないように、また、雪が融雪用導管カバ−の上に積もらないようにするためである）。この導管カバ−５の上面に火傷防止用断熱材８を貼り付ける（人が触れても火傷しないようにする）。導管カバ−５には鉄板などを用いて、高温に熱した鉄板などより出る赤外線による輻射熱により、融雪の範囲を広めることが出来るが、積雪量が多く寒さも厳しく早く屋根の雪を融雪したい場合は、上述の暖房加熱用波長選択型熱放射材料７などを鉄板などの先に取付け、赤外光による輻射熱により融雪の範囲を広める。
【００１３】
導管カバ−の上面の色を屋根と同じ色にするなどにより、屋根の美観を損ねないようにする。
【図面の簡単な説明】
【００１４】
【図１】実施例１の導管カバ−取付けの立面図
【図２】実施例１の導管カバ−取付けの平面図
【符号の説明】
【００１５】
１  トタン屋根
２  断熱材
３  導管取付け具
４  導管
５  導管カバ−
６  導管カバ−取付け具
７  暖房加熱用波長選択型放射材料
８  火傷防止用断熱材
【図１】
2006291583.tif 000003
【図２】
2006291583.tif 000004